(57)【要約】【課題】車載装置のモニタによらずに、当該車載装置から、移動電話機のナビゲーション機能を利用可能とする「ナビゲーションシステム」を提供する。【解決手段】移動電話機５のナビゲーション機能がコマンドモニタ装置６の表示装置６４の解像度に対応している場合には、ナビゲーション機能で生成した案内画像（ａ）をコマンドモニタ装置６に送信し、コマンドモニタ装置６に表示装置６４に表示させる。ナビゲーション機能がコマンドモニタ装置６の表示装置６４の解像度に対応していない場合には、進路変更前のタイミングで進路変更方向を、ナビゲーション機能からコマンドモニタ装置６に通知し、コマンドモニタ装置６において、予め用意された矢印図形（ｂ）のうちから、通知された進路変更方向を表す矢印図形を選択し表示装置６４に表示する（ｃ）。【選択図】図４
2010261803.tif 000002
【特許請求の範囲】
【請求項１】
表示装置を備えた車載装置と、当該車載装置に選択的に接続される携帯端末とより構成されるナビゲーションシステムであって、
前記携帯端末は、
現在位置を算出する現在位置算出手段と、
前記現在位置周辺の地図データと、目的地までの経路を表すルートデータとを取得する案内情報取得手段と、
前記地図データが表す地図上に前記現在位置と前記ルートデータが表す経路を描画した、所定の解像度に適合した案内画像を生成し、前記車載装置に送信する第１案内情報提供手段と、
前記ルートデータが表す経路に従って進路変更することとなる交差点に、前記現在位置が接近したときに、前記経路に従った当該交差点の通過方向を表す進路変更方向通知を前記車載装置に送信する第２案内情報提供手段と、
当該携帯端末が前記車載装置に接続されたときに、前記車載装置の前記表示装置の解像度が、前記所定の解像度である場合に、前記第１案内情報提供手段を動作させて当該第１案内情報提供手段に前記案内画像の生成と前記車載装置への送信を行わせ、前記車載装置の前記表示装置の解像度が前記所定の解像度でない場合に、前記第２案内情報提供手段を動作させて当該第２案内情報提供手段に前記進路変更方向通知を前記車載装置に送信させる制御手段とを有し、
前記車載装置は、
前記携帯端末より前記案内画像を送信された場合に、当該案内画像を前記表示装置に表示し、前記携帯端末より前記進路変更方向通知を受信したときに、当該進路変更方向通知が表す前記通過方向を表す図形を前記表示装置に表示する案内情報表示手段を有することを特徴とするナビゲーションシステム。
【請求項２】
請求項１記載のナビゲーションシステムであって、
前記携帯端末は、
表示部と、
当該携帯端末が前記車載装置に接続されていないときに、前記地図データが表す地図上に前記現在位置と前記ルートデータが表す経路を描画した案内画像を前記表示部に表示する第３案内情報提供手段とを有することを特徴とするナビゲーションシステム。
【請求項３】
請求項１または２記載のナビゲーションシステムであって、
前記携帯端末の案内情報取得手段は、移動体通信網を介して、前記現在位置周辺の地図データと、目的地までの経路を表すルートデータとを、外部のサーバから取得することを特徴とするナビゲーションシステム。
【請求項４】
請求項３記載のナビゲーションシステムであって、
前記携帯端末は、当該携帯端末が前記車載装置に接続されたときに、前記車載装置の前記表示装置の解像度が、前記所定の解像度でない場合に、前記第１案内情報提供手段を、前記車載装置の前記表示装置の解像度に適合した案内画像を生成できる前記第１案内情報提供手段に更新するための更新情報を、前記移動体通信網を介して外部より取得し、取得した前記更新情報に従って前記第１案内情報提供手段を更新する更新手段を有することを特徴とするナビゲーションシステム。
【請求項５】
請求項１、２、３または４記載のナビゲーションシステムであって、
前記携帯端末は、移動電話端末としての機能を備えた移動電話機であることを特徴とするナビゲーションシステム。
【請求項６】
表示装置を備えた車載装置に選択的に接続される移動電話機であって、
現在位置を算出する現在位置算出手段と、
前記現在位置周辺の地図データと、目的地までの経路を表すルートデータとを取得する案内情報取得手段と、
前記地図データが表す地図上に前記現在位置と前記ルートデータが表す経路を描画した、所定の解像度に適合した案内画像を生成し、前記車載装置に送信する第１案内情報提供手段と、
前記ルートデータが表す経路に従って進路変更することとなる交差点に、前記現在位置が接近したときに、前記経路に従った当該交差点の通過方向を表す進路変更方向通知を前記車載装置に送信する第２案内情報提供手段と、
当該移動電話機が前記車載装置に接続されたときに、前記車載装置の前記表示装置の解像度が、前記所定の解像度である場合に前記第１案内情報提供手段を動作させて当該第１案内情報提供手段に前記案内画像の生成と前記車載装置への送信を行わせ、前記車載装置の前記表示装置の解像度が前記所定の解像度でない場合に、前記第２案内情報提供手段を動作させて当該第２案内情報提供手段に前記進路変更方向通知を前記車載装置に送信させる制御手段と、
表示部と、
当該移動電話機が前記車載装置に接続されていないときに、前記地図データが表す地図上に前記現在位置と前記ルートデータが表す経路を描画した案内画像を前記表示部に表示する第３案内情報提供手段を有することを特徴とする移動電話機。
【発明の詳細な説明】
【技術分野】
【０００１】
本発明は、経路案内を行うナビゲーションシステムに関するものである。
【背景技術】
【０００２】
従来より、経路案内を行うナビゲーション機能を備えた移動電話機が知られている（たとえば、特許文献１）。ここで、この特許文献１の移動電話のナビゲーション機能は、移動電話網を介してナビゲーションサーバにアクセスし、ナビゲーションサーバから、移動電話機の周辺の地図や目的地までの経路の情報を取得し、取得した情報に基づいて、移動電話機の周辺の地図上に移動電話機の現在位置や目的地までの経路を表す画像を、ユーザの経路案内を行うためのナビゲーション用画像として表示するものである。
【０００３】
また、このような移動電話機のナビゲーション機能において、ユーザの経路案内を行うためのナビゲーション用画像として、進路変更方向（左折や右折等）を表す矢印のみを表示することにより、経路案内を簡易的に行う技術も知られている（たとえば、特許文献２）。
【先行技術文献】
【特許文献】
【０００４】
【特許文献１】特開-20070号公報
【特許文献２】特開-48576号公報
【発明の概要】
【発明が解決しようとする課題】
【０００５】
自動車に搭載されている入力装置とモニタとを備えた車載装置を、前述した移動電話機のナビゲーション機能の操作入力と表示出力に用いることにより、当該車載装置から、移動電話機のナビゲーション機能を利用可能として、移動電話機のナビゲーション機能のユーザインタフェースの操作性と視認性を向上することが考えられる。
【０００６】
しかしながら、このようにするときに、車載装置のモニタの解像度に適合するナビゲーション画像を出力する機能を、移動電話機のナビゲーション機能が備えていない場合には、当該車載装置から、移動電話機のナビゲーション機能を適正に利用することができない場合がある。一方で、任意の車載装置から利用され得る移動電話機のナビゲーション機能に、全てのモニタの解像度に適合するナビゲーション画像を出力する機能を備えることは困難である。
【０００７】
そこで、本発明は、車載装置のモニタによらずに、当該車載装置から、移動電話機などの携帯端末のナビゲーション機能を利用可能とすることを課題とする。
【課題を解決するための手段】
【０００８】
前記課題達成のために、本発明は、表示装置を備えた車載装置と、当該車載装置に選択的に接続される携帯端末とより構成されるナビゲーションシステムにおいて、前記携帯端末に、現在位置を算出する現在位置算出手段と、前記現在位置周辺の地図データと、目的地までの経路を表すルートデータとを取得する案内情報取得手段と、前記地図データが表す地図上に前記現在位置と前記ルートデータが表す経路を描画した、所定の解像度に適合した案内画像を生成し、前記車載装置に送信する第１案内情報提供手段と、前記ルートデータが表す経路に従って進路変更することとなる交差点に、前記現在位置が接近したときに、前記経路に従った当該交差点の通過方向を表す進路変更方向通知を前記車載装置に送信する第２案内情報提供手段と、当該携帯端末が前記車載装置に接続されたときに、前記車載装置の前記表示装置の解像度が、前記所定の解像度である場合に、前記第１案内情報提供手段を動作させて当該第１案内情報提供手段に前記案内画像の生成と前記車載装置への送信を行わせ、前記車載装置の前記表示装置の解像度が前記所定の解像度でない場合に、前記第２案内情報提供手段を動作させて当該第２案内情報提供手段に前記進路変更方向通知を前記車載装置に送信させる制御手段とを設け、前記車載装置に、前記携帯端末より前記案内画像を送信された場合に、当該案内画像を前記表示装置に表示し、前記携帯端末より前記進路変更方向通知を受信したときに、当該進路変更方向通知が表す前記通過方向を表す図形を前記表示装置に表示する案内情報表示手段を設けたものである。
【０００９】
このようなナビゲーションシステムによれば、携帯端末が車載装置の表示装置の解像度に対応している第１案内情報提供手段を備えている場合には、車載装置の表示装置に案内画像を表示する態様によって経路案内が行われる。また、携帯端末に必ず第２案内情報提供手段を設けるようにすることにより、移動電話機が車載装置の表示装置の解像度に対応している第１案内情報提供手段を備えていない場合にも、必ず、第２案内情報提供手段によって、車載装置の表示装置に表示した図形によって交差点における進路変更方向を提示する簡易的な経路案内を行うことができるようになる。
【００１０】
ここで、このようなナビゲーションシステムにおいて、前記携帯端末には、表示部と、当該携帯端末が前記車載装置に接続されていないときに、前記地図データが表す地図上に前記現在位置と前記ルートデータが表す経路を描画した案内画像を前記表示部に表示する第３案内情報提供手段とを備えるようにしてもよい。
【００１１】
また、このようなナビゲーションシステムにおいて、前記携帯端末の案内情報取得手段は、移動体通信網を介して、前記現在位置周辺の地図データと、目的地までの経路を表すルートデータとを、外部のサーバから取得するものであってもよい。
また、このようなナビゲーションシステムにおいて、前記携帯端末には、当該携帯端末が前記車載装置に接続されたときに、前記車載装置の前記表示装置の解像度が、前記所定の解像度でない場合に、前記第１案内情報提供手段を、前記車載装置の前記表示装置の解像度に適合した案内画像を生成できる前記第１案内情報提供手段に更新するための更新情報を、前記移動体通信網を介して外部より取得し、取得した前記更新情報に従って前記第１案内情報提供手段を更新する更新手段を設けるようにしてもよい。
【００１２】
また、以上のようなナビゲーションシステムにおいて、前記携帯端末は、移動電話端末としての機能を備えた移動電話機であってよい。
【発明の効果】
【００１３】
以上のように、本発明によれば、車載装置のモニタによらずに、当該車載装置から、携帯端末のナビゲーション機能を利用することができるようになる。
【図面の簡単な説明】
【００１４】
【図１】本発明の実施形態に係るナビゲーションシステムの構成を示すブロック図である。
【図２】本発明の実施形態に係る案内情報提供部起動処理を示すフローチャートである。
【図３】本発明の実施形態に係る案内情報取得処理と案内情報提供処理を示すフローチャートである。
【図４】本発明の実施形態に係る案内情報提供処理の動作を示す図である。
【図５】本発明の実施形態に係る表示エージェント処理を示すフローチャートである。
【発明を実施するための形態】
【００１５】
以下、本発明の実施形態について説明する。
図１に、本実施形態に係るナビゲーションシステムの構成を示す。
図示するように、ナビゲーションシステムは、移動電話機５と、移動電話機５にBluetooth（登録商標）などのＰＡＮや近距離無線通信を介して接続するコマンドモニタ装置６とより構成される。
ここで、移動電話機５は、移動電話網４と、移動電話網４に接続したインターネット等のＷＡＮ１とを介して、ＷＡＮ１に接続したナビゲーションセンタ２と、ＷＡＮ１に接続したダウンロードセンタ３とにアクセスすることができる。
ここで、ナビゲーションセンタ２は、ナビゲーションサーバ２１と地図データベース２２とを有し、ダウンロードセンタ３はアプリケーションダウンロードサーバ３１とアプリケーションデータベース３２とを有する。
また、移動電話機５は、移動電話網４に無線通信を介して接続する移動電話網インタフェース５１、ＰＡＮや近距離無線通信を介してコマンドモニタ装置６に選択的に接続するホストインタフェース５２、移動電話網４を利用した電話機能を提供する移動電話機能部５３、ナビゲーション機能を提供するナビゲーションクライアント５４、操作部５５、表示部５６、衛星測位によって現在位置を算出するＧＰＳ受信機５７を有している。
【００１６】
また、ナビゲーションクライアント５４は、制御部５４１、案内情報取得部５４２、複数の案内情報提供部５４３を備えている。ここで、このように複数備えられる案内情報提供部５４３には、単独案内用の案内情報提供部５４３と、簡易案内用の案内情報提供部５４３とが必ず含まれる。また、複数備えられる案内情報提供部５４３には、各々特定の表示装置解像度に対応する特定解像度用の案内情報提供部５４３を１または複数含むことができる。
【００１７】
次に、コマンドモニタ装置６は、ＰＡＮや近距離無線通信を介して移動電話機５に選択的に接続する移動電話機インタフェース６１、ナビゲーションエージェント６２、入力装置６３、表示装置６４とを備えている。
ただし、ナビゲーションセンタ２、ダウンロードセンタ３、移動電話機５、コマンドモニタ装置６の各々は、マイクロプロセッサや、メモリや、その他の周辺デバイスなどの一般的なハードウエア構成を備えたコンピュータを利用して構成されるものであってよく、この場合、以上に示した各部、または、その一部は、コンピュータが所定のコンピュータプログラムを実行することにより実現されるものである。また、特に、移動電話機５のダウンロードクライアントの制御部５４１、案内情報取得部５４２、複数の案内情報提供部５４３の各々は、移動電話機５が備えるマイクロプロセッサが所定のコンピュータプログラムを実行することにより実現されるものである。
【００１８】
以下、このようなナビゲーションシステムの動作について説明する。
移動電話機５のナビゲーションクライアント５４の制御部５４１は、操作部５５を介したユーザのナビゲーション機能の利用開始操作等に応じて起動される。そして、起動された制御部５４１は、まず、案内情報取得部５４２を起動する。
次に、制御部５４１は、図２に示す案内情報提供部起動処理を行って、複数の案内情報提供部５４３のいずれか一つを起動する。
図示するように、この案内情報提供部起動処理では、まず、移動電話機５がコマンドモニタ装置６に接続されているかどうかを調べ（ステップ２０２）、接続されていなければ、単独案内用の案内情報提供部５４３を起動する（ステップ２０４）。そして、移動電話機５のコマンドモニタ装置６への接続の発生を監視し（ステップ２０６）、移動電話機５のコマンドモニタ装置６への接続が発生したならば、起動中の案内情報提供部５４３を停止し（ステップ２０８）、ステップ２０２からの処理に戻る。
【００１９】
一方、移動電話機５がコマンドモニタ装置６に接続されている場合には（ステップ２０２）、コマンドモニタ装置６のナビゲーションエージェント６２との間に制御/情報系のデータ送受信用のデータリンクを確立する（ステップ２１０）。また、データリンクを介して、コマンドモニタ装置６の表示装置６４の解像度の情報をコマンドモニタ装置６のナビゲーションエージェント６２より取得し、コマンドモニタ装置６の表示装置６４の解像度に対応する案内情報提供部５４３が存在するかどうかを判定する（ステップ２１２）。
【００２０】
そして、コマンドモニタ装置６の表示装置６４の解像度に対応する特定解像度用の案内情報提供部５４３が存在する場合には、当該存在した特定解像度用の案内情報提供部５４３を起動する（ステップ２１４）、そして、移動電話機５のコマンドモニタ装置６への接続の解除の発生を監視し（ステップ２１６）、移動電話機５のコマンドモニタ装置６への接続が発生したならば、起動中の案内情報提供部５４３を停止し（ステップ２０８）、ステップ２０２からの処理に戻る。
【００２１】
一方、ステップ２１２において、コマンドモニタ装置６の表示装置６４の解像度に対応する特定解像度用の案内情報提供部５４３が存在しないと判定された場合には、簡易案内用の案内情報提供部５４３を起動する（ステップ２１８）、そして、移動電話機５へのコマンドモニタ装置６への接続の解除の発生を監視し（ステップ２１６）、移動電話機５へのコマンドモニタ装置６への接続が発生したならば、起動中の案内情報提供部５４３を停止し（ステップ２０８）、ステップ２０２からの処理に戻る。
【００２２】
以上、移動電話機５のナビゲーションクライアント５４の制御部５４１が行う案内情報提供部起動処理について説明した。
次に、上述のように制御部５４１によって起動された、移動電話機５のナビゲーションクライアント５４の案内情報取得部５４２が行う案内情報取得処理について説明する。
図３ａに、この案内情報取得処理の手順を示す。
図示するように、この処理では、まず、案内情報取得部５４２は、移動電話網４、ＷＡＮ１を介してナビゲーションセンタ２にアクセスし、ナビゲーションセンタ２から地図データを取得する（ステップ３０２）。地図データの取得は、ＧＰＳ受信機５７が算出した現在位置を指定した地図データ要求をナビゲーションサーバ２１に発行することにより行う。
【００２３】
ナビゲーションサーバ２１は、地図データ要求を受け取ると、指定された現在位置に基づいて、送信地図データ領域を算定し、算定した送信地図データ領域内の地図を表す地図データを地図データベース２２より抽出し、地図データ要求発行元のナビゲーションクライアント５４に送信する。ここで、ナビゲーションサーバ２１は、送信地図データ領域を次のように算定する。すなわち、地図データ要求発行元のナビゲーションクライアント５４に対して初めて地図データを送信する場合には、地図データ要求で指定された現在位置から所定距離Ａ内の地域を送信地図データ領域とし、地図データ要求発行元のナビゲーションクライアント５４に対して二回目以降に地図データを送信する場合には、地図データ要求で指定された現在位置から所定距離Ａ内の地域のうちの、過去に地図データ要求発行元のナビゲーションクライアント５４に対して地図データを送信していない地域を、送信地図データ領域とする。
【００２４】
そして、以降、案内情報提供部５４３は、ＧＰＳ受信機５７で算出される現在位置が変化する度（ステップ３０４）に、地図データの更新が必要かどうかを判定し（ステップ３０６）、必要であれば、現在位置を指定した地図データ要求をナビゲーションサーバ２１に発行することにより地図データを取得する処理を行う（ステップ３０８）。ここで、地図データの更新が必要かどうかの判定は、現在位置から所定距離Ｂ（Ｂ＜Ａ）内の地域内の全ての地図データを既に取得していない場合に、地図データの更新が必要と判定することにより行う。
【００２５】
また、案内情報提供部５４３は、ユーザから目的地が設定されたならば（ステップ３１０）、ナビゲーションセンタ２から現在位置から目的地までの経路を表すルートデータを取得する（ステップ３１２）。ここで、ルートデータの取得は、ナビゲーションサーバ２１に現在位置と目的地とを指定したルートデータ要求を送信することにより行う。ルートデータ要求を受けとったナビゲーションサーバ２１は、地図データベース２２の地図データを参照して、指定された現在位置から目的地までの経路を探索し、探索した経路を表すルートデータを、ルートデータ要求発行元のナビゲーションクライアント５４に送信する。
【００２６】
なお、ユーザからの目的地の設定の受け付けは、ナビゲーションクライアント５４の制御部５４１が行う。すなわち、制御部５４１は、移動電話機５がコマンドモニタ装置６に接続されていないときには、操作部５５の所定操作に応じて、移動電話機５の表示部５６に目的地設定用のメニューを表示すると共に、当該メニューに対する移動電話機５の操作部５５を用いたユーザ操作に応じて目的地の設定を受け付ける。また、移動電話機５がコマンドモニタ装置６に接続されてるときには、入力装置６３の所定操作に応じてナビゲーションエージェント６２がデータリンクを介して目的地設定要求をナビゲーションクライアント５４に送信し、目的地設定要求を受信したナビゲーションクライアント５４の制御部５４１において、データリンクを介してコマンドモニタ装置６のナビゲーションエージェント６２に、目的地設定用のメニューを規定するメニューデータを送信する。そして、メニューデータを受信したコマンドモニタ装置６のナビゲーションエージェント６２において受信したメニューデータが規定するメニューを表示して、当該メニューに対する入力装置６３を用いたユーザ操作を受け付けて、受け付けたユーザ操作を移動電話機５のナビゲーションクライアント５４に送信し、ユーザ操作を受信したナビゲーションクライアント５４の制御部５４１において、受信したユーザ操作に応じて、ユーザからの目的地の設定を受け付ける。
【００２７】
以上、案内情報取得部５４２が行う案内情報取得処理について説明した。
次に、移動電話機５のナビゲーションクライアント５４の制御部５４１によって起動された案内情報提供部５４３が行う案内情報提供処理について説明する。
まず、単独案内用の案内情報提供部５４３が行う案内情報提供処理を図２ｂ１に示す。
図示するように、この処理では、ＧＰＳ受信機５７が算出する現在位置が変化する度に（ステップ３５２）、移動電話機５の表示部５６の解像度に応じた解像度と表示内容を備えた案内画像を生成し（ステップ３５４）、表示部５６に表示する（ステップ３５６）処理を繰り返す。
【００２８】
ここで、案内画像とは、前述した案内情報取得処理によって取得した地図データとルートデータと現在位置に基づいて生成される画像であり、図４ａに示すように、案内画像４００は、現在位置周辺の地図を表す地図画像４０１上に、現在位置を表す現在位置マーク４０２と、ルートデータが表す経路の地図画像４０１が表す地図内の部分を表すルート図形４０３を表したものである。また、目的地が地図画像４０１が表す地図内に含まれる場合には、地図画像上に目的地を表す目的地マークも表示する。
【００２９】
次に、特定解像度用の案内情報提供処理を図２ｂ２に示す。
図示するように、この処理では、まず、コマンドモニタ装置６のナビゲーションエージェント６２との間に、画像データを転送するための画像リンクを確立する（ステップ３６２）。
そして、以降は、ＧＰＳ受信機５７が算出する現在位置が変化する度に（ステップ３６４）、対応する特定解像度すなわちコマンドモニタ装置６の解像度に適合する解像度と表示内容を備えた案内画像を生成し（ステップ３６６）、ナビゲーションエージェント６２に画像リンクを介して送信する（ステップ３６８）処理を繰り返す。
【００３０】
ここで、特定の解像度に適合する解像度とは、案内画像の画素サイズが当該特定の解像度に適合していることを言う。また、特定の解像度に適合する表示内容とは、当該特定の解像度に対して予め定められている表示内容であり、当該特定の解像度で案内画像を表示したときに、視認性が確保できるように当該表示内容は定められている。すなわち、たとえば、案内画像の地図画像に関する表示内容としては、高解像度に対しては、詳細な地図や詳細な地形表示や地名表示が設定されており、低解像度に対しては概略的な地図のみが表示内容として設定される。
【００３１】
次に、簡易案内用の案内情報提供処理を図２ｂ３に示す。
図示するように、この処理では、ＧＰＳ受信機５７が算出する現在位置が変化する度に（ステップ３７２）、現在位置が案内交差点に接近しているかどうか調べる（ステップ３７４）。ここで、案内交差点とは、ルートデータが表す経路に従って進路変更（右左折等）することになる交差点のうちの、次に通過することになる交差点を言う。また、ステップ３７４では、現在位置から案内交差点までの間に他の交差点が存在せず、現在位置から案内交差点までの距離が所定距離（たとえば、３００ｍ）以内である場合に、現在位置が案内交差点に接近していると判定する。
【００３２】
そして、案内交差点に現在位置が接近していなければ、ステップ３７２に戻って、次の現在位置の変化を待ち、案内交差点に現在位置が接近していれば、案内交差点のルートデータが表す交差点の通過方向（右方向、左方向、右斜前方向、左斜前方向、右斜後方向、左斜後方向等）を進路変更方向通知としてデータリンクを介してコマンドモニタ装置６のナビゲーションエージェント６２に送信する（ステップ３７６）。そして、現在位置の案内交差点の通過を待って（ステップ３７８）、進路変更案内終了をデータリンクを介してコマンドモニタ装置６のナビゲーションエージェント６２に通知し（ステップ３８０）、ステップ３７２に戻る。
【００３３】
以上、案内情報提供部５４３が行う案内情報提供処理について説明した。
次に、コマンドモニタ装置６のナビゲーションエージェント６２が行う表示エージェント処理について説明する。
図５に、この表示エージェント処理の手順を示す。
図示するように、この処理では、移動電話機５のナビゲーションクライアント５４から案内画像を画像リンクを介して受信する度に（ステップ５０２）、受信した案内画像を表示装置６４に表示する処理を行う（ステップ５０４）。
また、データリンクを介して移動電話機５のナビゲーションクライアント５４から送信される進路変更方向通知を受信する度に（ステップ５０６）、以下の処理を行う。
すなわち、まず、受信した進路変更方向通知が表す、交差点の通過方向（右方向、左方向、右斜前方向、左斜前方向、右斜後方向、左斜後方向等）に対応する進路案内図形を表示装置６４に表示する（ステップ５０８）。
ここで、ナビゲーションクライアント５４には予め、図４ｂに示すように、右方向、左方向、右斜前方向、左斜前方向、右斜後方向、左斜後方向等の交差点の各通過方向に各々対応する進路案内図形の図形データを記憶している。ここで、図４ｂにおいて、ｂ１は左方向に対応する進路案内図形を、ｂ２は右方向に対応する進路案内図形を、ｂ３は左斜前方向に対応する進路案内図形を、ｂ４は右斜前方向に対応する進路案内図形を、ｂ５は左斜後方向に対応する進路案内図形を、ｂ６は右斜後方向に対応する進路案内図形を表している。
【００３４】
そして、ステップ５０８では、記憶している進路案内図形のうちから、進路変更方向通知が表す交差点の通過方向に対応する進路案内図形の図形データを読み出して、たとえば、図４ｃに示すように,読み出した図形データが表す進路案内図形４５０を表示装置６４に表示する。
【００３５】
なお、図４ｃは、進路変更方向通知が表す交差点の通過方向が左方向である場合の、表示装置６４の表示を表している。
そして、データリンクを介して移動電話機５のナビゲーションクライアント５４から送信される進路変更案内終了の受信を待って（ステップ５１０）、進路案内図形の表示を消去する（ステップ５１２）。
以上、本発明の実施形態について説明した。
以上のように、本実施形態によれば、移動電話機５がコマンドモニタ装置６の表示装置６４の解像度に対応している案内情報提供部５４３を備えている場合には、コマンドモニタ装置６の表示装置６４を用いて図４ａに示したような案内画像による経路案内が行われる。また、移動電話機５がコマンドモニタ装置６の表示装置６４の解像度に対応している案内情報提供部５４３を備えていない場合にも、各移動電話機５に必ず備えられている簡易案内用の案内情報提供部５４３によって、必ず、コマンドモニタ装置６の表示装置６４を用いて、図４ｃに示す矢印図形によって次交差点における進路変更方向を提示する簡易的な経路案内が行われることになる。
【００３６】
ところで、以上の実施形態においては、移動電話機５とコマンドモニタ装置６が接続したときに、コマンドモニタ装置６の表示装置６４の解像度に対応する案内情報提供部５４３が存在しないときには、前記移動電話機５のナビゲーションクライアント５４の制御部５４１において、ダウンロードセンタ３のダウンロードサーバから、コマンドモニタ装置６の表示装置６４の解像度に対応できる特定解像度用の案内情報提供部５４３のプログラムをダウンロードするようにしてもよい。ここで、ダウンロードセンタ３のダウンロードサーバは、ナビゲーションクライアント５４からの要求に応じて、アプリケーションデータベース３２に蓄積されているプログラムのうちから、要求された案内情報提供部５４３のプログラム（ここでは、移動電話機５が接続したコマンドモニタ装置６の表示装置６４の解像度に対応できる特定解像度用の案内情報提供部５４３のプログラム）を抽出し、要求元のナビゲーションクライアント５４に送信する。
【００３７】
また、この場合には、ナビゲーションクライアント５４の制御部５４１は、プログラムのダウンロード完了後の適当な機会（案内交差点までの距離が大きいときなど）に、起動中の案内情報提供部５４３を停止させた上で、図２の案内情報提供部起動処理を再度行って、稼働させる案内情報提供部５４３を、ダウンロードしたプログラムによる案内情報提供部５４３に切り替えるようにしてもよい。
【００３８】
また、以上の実施形態は、ナビゲーション機能を備えた移動電話機５に代えて、ナビゲーション機能を備えているポータブル型のナビゲーション装置をコマンドモニタ装置６に接続して利用する場合などにも同様に適用することができる。また、以上の移動電話機５やポータブル型のナビゲーション装置のナビゲーション機能は、これらが備えた地図データを用いて、ナビゲーションセンタ２を利用せずに、単独で実現されるものであってもよい。
【符号の説明】
【００３９】
１…ＷＡＮ、２…ナビゲーションセンタ、３…ダウンロードセンタ、４…移動電話網、５…移動電話機、６…コマンドモニタ装置、２１…ナビゲーションサーバ、２２…地図データベース、３１…アプリケーションダウンロードサーバ、３２…アプリケーションデータベース、５１…移動電話網インタフェース、５２…ホストインタフェース、５３…移動電話機能部、５４…ナビゲーションクライアント、５５…操作部、５６…表示部、５７…ＧＰＳ受信機、６１…移動電話機インタフェース、６２…ナビゲーションエージェント、６３…入力装置、６４…表示装置、５４１…制御部、５４２…案内情報取得部、５４３…案内情報提供部。
【図１】
2010261803.tif 000003
【図２】
2010261803.tif 000004
【図３】
2010261803.tif 000005
【図４】
2010261803.tif 000006
【図５】
2010261803.tif 000007
【手続補正書】
【提出日】平成21年5月19日(2009.5.19)
【手続補正１】
【補正対象書類名】明細書
【補正対象項目名】０００４
【補正方法】変更
【補正の内容】
【０００４】
【特許文献１】特開2009-20070号公報
【特許文献２】特開2002-48576号公報